(57)【要約】【課題】テープリール規格の調整/定位装置及び方法を提供する。【解決手段】主に画像検査測定器、中孔検査測定器を包含し、該画像検査測定器はテープリールの上方に位置し、該中孔検査測定器はテープリールの中孔を検査測定する。該画像検査測定器と該中孔検査測定器間には固定距離を具え、該固定距離は各種テープリール規格の公倍数である。【選択図】図３
2007081356.tif 000002
【特許請求の範囲】
【請求項１】
テープリール規格の調整/定位装置であり、画像検査測定器及び検査測定器を包含し、該テープリールには並列の空ケースを具え、該各空ケースの底部には中孔を具え、該テープリール規格とは相互に隣り合った中孔間のピッチを指し、かつ該ピッチは各種規格が可能で、画像検査測定器は該テープリールの上方に位置し、該画像検査測定器の中心は該テープリールの各中孔の延長線上に対応し、検査測定器は発射器とセンサーを具え、それぞれ該テープリールの上、下方に位置し、該中孔を検査測定し、該画像検査測定器と該中孔検査測定器間には固定距離を具え、該固定距離は各種テープリール規格のピッチの公倍数であることを特徴とする、テープリール規格の調整/定位装置及び方法。
【請求項２】
請求項１記載のテープリール規格の調整/定位装置及び方法において、更に切換えユニットを具え、該検査測定器の位置を移動切替え、これにより該画像検査測定器と該中孔検査測定器間の距離は移動されることを特徴とする、テープリール規格の調整/定位装置及び方法。
【請求項３】
請求項２記載のテープリール規格の調整/定位装置及び方法において、前記切替えユニットはプラットフォーム、定位ボール、バネを包含し、
該プラットフォーム上には２個の凹槽を具え、該２個の凹槽間の距離は該画像検査測定器と該中孔検査測定器間の距離値から該テープリール規格の倍数値を引いたもので、
該定位ボールは該凹槽の内の１個に位置し、
該バネの一端は該定位ボールに接続し、反対端は該検査測定器に接続することを特徴とする、テープリール規格の調整/定位装置及び方法。
【請求項４】
テープリール規格の調整/定位装置であり、該テープリールには並列した空ケースを具え、該各空ケースの底部には中孔を具え、画像検査測定器の中心は該中孔に対応し、該画像検査測定器と検査測定器をある固定距離に固定し、かつ該固定距離は各種テープリール規格の孔距離の公倍数で、
該検査測定器が別の中孔を探知するまで検査測定することを特徴とする、テープリール規格の調整/定位装置及び方法。
【請求項５】
請求項４記載のテープリール規格の調整/定位装置及び方法において、前記検査測定器は発射器とセンサーを包含し、それぞれ該テープリールの上、下方に位置することを特徴とする、テープリール規格の調整/定位装置及び方法。
【請求項６】
請求項４記載のテープリール規格の調整/定位装置及び方法において、前記検査測定器の位置を移動、切り替えることにより、前記画像検査測定器と前記検査測定器間の距離を変更可能であることを特徴とする、テープリール規格の調整/定位装置及び方法。  
【発明の詳細な説明】
【技術分野】
【０００１】
本発明は一種のテープリール規格の調整/定位装置及び方法に関し、特に一種のスピーディーなテープリール規格の調整/定位装置及び方法に係る。
【背景技術】
【０００２】
ICは製造、封入、テストを経た後、テストを通過したICは通常、運搬と使用の利便性を図るため、テープリールの形式により包装される。しかし、業界で使用されるテープリールの規格は様々であり、テープリール規格を設定し定位を行うため、テープリール包装を行う前には必ずプレ作業を必要とする。そして定位完成後に初めて後続のオートメーション作業を行うことができるのである。
図１に示す公知のテープリール規格調整/定位装置のテープリール１２上方は画像検査測定器１１(CCD画像検査測定器など)で、主に設置されたICにピンの欠陥がないかどうか、或いは反対に設置されていないかどうかを検査するものである。該テープリール１２の反対端には中孔検査測定器１４及びチェイン孔検査測定器１５を具える。
【０００３】
図２はテープリール中の２個の空ケースを示す。該各１個の空ケース中には中孔１３を具え、隣り合った中孔の距離Aはテープリールのピッチ規格である。業界で最も広く使用されているピッチ規格は８、１２、１６、２０mm規格である。隣り合ったチェイン孔１６間の距離Bは通常は４mmに固定されており、該中孔１３と最も近いチェイン孔１６との間の水平距離Cは２mmである。
【０００４】
図１に示すように、公知のテープリール包装設備においては、テープリール包装を行う前の調整定位作業は通常、２段階により完成される。
先ず、該中孔１３を該画像検査測定器１１に合わせ、該中孔検査測定器１４は別の中孔１３を探知する。
次に、該テープリール１２を微調整し、該チェイン孔検査測定器１５に該チェイン孔１６を探知させる。こうしてテープリールの規格調整と定位作業を完成することができる。
しかしこの種の公知の２段階定位調整は非常に多くの時間と人力を必要とし、生産拡大を阻む要因となっている。しかも、公知のテープリール包装設備は非常に多くの検査測定器を使用するため、いたずらに設備とメンテナンスコストを増大させている。
【発明の開示】
【発明が解決しようとする課題】
【０００５】
本発明は上記構造の問題点を解決し、作業速度を高速化し、コストを低廉化し、生産能力を拡大する全く新しくかつスピーディーなテープリール規格の調整/定位装置及び方法を提供するものである。
【０００６】
本発明は下記のテープリール規格の調整/定位装置及び方法を提供する。
それは主に画像検査測定器、検査測定器を含み、
該画像検査測定器はテープリールの上方に位置し、該検査測定器はテープリールの中孔を検査測定し、該画像検査測定器と該中孔検査測定器間には固定距離を具え、該固定距離と各種テープリール規格間には倍数関係があり、例えば該固定距離は各テープリール規格の公倍数。
【０００７】
該画像検査測定器の中心は該テープリールの中心に対応し、該画像検査測定器と該中孔検査測定器をある固定距離に固定し、かつ該固定距離と該各テープリール規格間には倍数関係を具え、該中孔検査測定器は別の中孔を検査測定し、テープリール包装のプレ包装定位作業を完成することを特徴とするテープリール規格の調整/定位装置及び方法である。
【課題を解決するための手段】
【０００８】
請求項１の発明は、テープリール規格の調整/定位装置であり、画像検査測定器及び検査測定器を包含し、該テープリールには並列の空ケースを具え、該各空ケースの底部には中孔を具え、該テープリール規格とは相互に隣り合った中孔間のピッチを指し、かつ該ピッチは各種規格が可能で、画像検査測定器は該テープリールの上方に位置し、該画像検査測定器の中心は該テープリールの各中孔の延長線上に対応し、検査測定器は発射器とセンサーを具え、それぞれ該テープリールの上、下方に位置し、該中孔を検査測定し、該画像検査測定器と該中孔検査測定器間には固定距離を具え、該固定距離は各種テープリール規格のピッチの公倍数であることを特徴とする、テープリール規格の調整/定位装置及び方法としている。
請求項２の発明は、請求項１記載のテープリール規格の調整/定位装置及び方法において、更に切換えユニットを具え、該検査測定器の位置を移動切替え、これにより該画像検査測定器と該中孔検査測定器間の距離は移動されることを特徴とする、テープリール規格の調整/定位装置及び方法としている。
請求項３の発明は、請求項２記載のテープリール規格の調整/定位装置及び方法において、前記切替えユニットはプラットフォーム、定位ボール、バネを包含し、
該プラットフォーム上には２個の凹槽を具え、該２個の凹槽間の距離は該画像検査測定器と該中孔検査測定器間の距離値から該テープリール規格の倍数値を引いたもので、該定位ボールは該凹槽の内の１個に位置し、該バネの一端は該定位ボールに接続し、反対端は該検査測定器に接続することを特徴とする、テープリール規格の調整/定位装置及び方法としている。
請求項４の発明は、テープリール規格の調整/定位装置であり、該テープリールには並列した空ケースを具え、該各空ケースの底部には中孔を具え、画像検査測定器の中心は該中孔に対応し、該画像検査測定器と検査測定器をある固定距離に固定し、かつ該固定距離は各種テープリール規格の孔距離の公倍数で、該検査測定器が別の中孔を探知するまで検査測定することを特徴とする、テープリール規格の調整/定位装置及び方法としている。
請求項５の発明は、請求項４記載のテープリール規格の調整/定位装置及び方法において、前記検査測定器は発射器とセンサーを包含し、それぞれ該テープリールの上、下方に位置することを特徴とする、テープリール規格の調整/定位装置及び方法としている。
請求項６の発明は、請求項４記載のテープリール規格の調整/定位装置及び方法において、前記検査測定器の位置を移動、切り替えることにより、前記画像検査測定器と前記検査測定器間の距離を変更可能であることを特徴とする、テープリール規格の調整/定位装置及び方法としている。
【発明の効果】
【０００９】
本発明はテープリール規格の調整/定位を迅速化することにより、生産を拡大し、設備コストを低減することができる。
【発明を実施するための最良の形態】
【００１０】
図３に示すように、本発明実施例において画像検査測定器３１はテープリール３２の出料端の上方に設置し、かつその中心は該テープリール３２の各中孔３３の延長線上に対応する。該画像検査測定器３１はCCD画像検査測定器で、またCMOS画像検査測定器など他の画像検査測定器を使用することができる。本発明実施例においては、該画像検査測定器３１は定位に用いる他、設置されたICのピンに欠陥がないかどうか、或いは反対に置かれている状況がないかどうかを検知する。
【００１１】
該テープリール３２の反対端には該画像検査測定器３１とは一定の固定された距離を隔て中孔検査測定器３４を設置する。該中孔検査測定器３４もまた該テープリール３２の上方にあり、かつＳの中心は該テープリール３２の各中孔３３の延長線上に対応する。該中孔検査測定器３４は通常は発射器(赤外線発射器など)及びセンサーにより構成される。発射される光線は赤外線に限定されず、センサーは各種形式のセンサーとすることができる。該中孔検査測定器３４は該テープリール３２の真上及び真下に設置され、これにより発射器が発射する(可視或いは非可視)光線はちょうど該中孔３３を通過し、該センサーに感知される。
発射された光線が該中孔３３を通過すると、センサー内の回路をオンにし、他の状況ではセンサーはオフである。本発明実施例の発射器及びセンサーはそれぞれ該テープリール３２の上、下方(或いは下、上方)にあるが、他の実施例では発射器及びセンサーは同一面に設置することができ、該中孔３３に出会うと発射された光線は該中孔３３を通過するため、センサーは光線をキャッチできない。他の時には、発射された光線は反射され戻って来て、センサーにキャッチされる。
【００１２】
業界で使用されているテープリールには様々な規格があるが、中孔と中孔間のピッチによって区分するなら、最も広く使用されているピッチ規格は８、１２、１６、２０mm規格である。本発明では特別に該画像検査測定器３１と該中孔検査測定器３４間の距離を固定値とする。本発明実施例中では、規格が８、１２、２０mmの３種のテープリールに対して公倍数を求める。
また一般の作業空間を考慮し、求めた公倍数３６０mmを該画像検査測定器３１と該中孔検査測定器３４の距離とする。他の特定の作業空間に対応する必要がある場合には、該画像検査測定器３１と該中孔検査測定器３４の距離は他の公倍数とすることができる。さらに、将来のテープリール規格が８、１２、２０mmの３種でなくなれば、同様の原理で別に公倍数を求めることができる。
【００１３】
該画像検査測定器３１と該中孔検査測定器３４間の距離を固定し、かつ該距離は８、１２、２０mmの３種のテープリール規格の公倍数であるため、該画像検査測定器３１と該中孔検査測定器３４は共に迅速に該中孔３３に対して定位を行うことができるようになる。
こうして、公知の２段階定位調整に比較し高速化を達成し、チェイン孔の定位を行う必要が完全になくなる。さらには公知のチェイン孔検査測定器を省くことができるようになり、作業空間を節減可能であるばかりか、テープリール包装設備コストを低減化可能である。
本発明の該画像検査測定器３１と該中孔検査測定器３４の特殊設置により、あらゆるテープリール規格において簡単にテープリール規格の調整が可能となる。
例えば、テープリールを伝動するコントローラー(通常は伝動モーター及び他の制御ベルト/ソフトにより構成される)を現在のテープリール規格に設定し、該画像検査測定器３１の中心を該中孔３３に合わせ、かつ該中孔検査測定器３４も別の該中孔３３を検知すれば即、テープリール規格の調整が完成し、テープリール包装のプレ作業を完成することができる。
【００１４】
上記実施例において、該画像検査測定器３１と該中孔検査測定器３４間の固定距離は８、１２、２０mmの３種のテープリール規格の公倍数を採用するが、さらにもう１種の１６mmのテープリール規格に対しては、本発明実施例では触れていない。３６０mmは１６mmの公倍数ではないが、簡単な微調整ユニット(切替え装置とも言う)を増設することにより１６mm規格のテープリールに対応することができる。
すなわち図４に示すように、本発明実施例の微調整(切替え)ユニット４０は２個の凹槽４１を具え、該凹槽４１間の距離は８mmに設定される。この距離の設定は３６０mmと１６mmの最も近い倍数は３５２mm(１６×２２＝３５２)で、両者の差が８mm(３６０−３５２＝８)であるためである。
該中孔検査測定器３４と該微調整(切替え)ユニット４０のプラットフォーム間にはバネ４２と定位ボール４３がしようされる。該テープリール規格が１６mmである時、該中孔検査測定器３４を別の凹槽４１の方向に切替ええ、該定位ボール４３は別の凹槽４１に入る。この時、該画像検査測定器３１と該中孔検査測定器３４間の距離は３５２mm(３６０−８＝３５２)に変化する。
続いて、該テープリール３２を伝動するコントローラーを１６mmのテープリール規格に設定すると、該画像検査測定器３１の中心は該中孔３３に対応し、かつ該中孔検査測定器３４も別の中孔３３を検知する時、即テープリール規格の調整は達成され、テープリール包装のプレ作業は完成される。
【００１５】
本発明実施例では凹槽４１、バネ４２、定位ボール４３を使用する微調整(切替え)ユニット４０を使用するが、他の構造の切替えユニットを使用することもできる。２個の切替え位置間に上記の固定位置を具えれば、本発明のテープリール規格調整/定位に適用することができる。
別に本発明実施例は該中孔検査測定器３４の位置を移動切替ええるが、他の実施例中では該中孔検査測定器３４を固定し該画像検査測定器３１の位置を移動切り替えることができる。
【図面の簡単な説明】
【００１６】
【図１】公知のテープリール規格の調整/定位装置である。
【図２】中孔、チェイン孔の相対関係と距離を示す図である。
【図３】本発明実施例のスピーディーテープリール規格の調整/定位装置である。
【図４】本発明実施例の微調整(切替え)ユニットを示す図である。
【符号の説明】
【００１７】
A  隣り合った中孔の距離
B  隣り合ったチェイン孔の距離
C  中孔と最も近いチェイン孔間の水平距離
１１  画像検査測定器
１２  テープリール
１３  中孔
１４  中孔検査測定器
１５  チェイン孔検査測定器
１６  チェイン孔
３１  画像検査測定器
３２  テープリール
３３  中孔
３４  中孔検査測定器
４０  微調整(切替え)ユニット
４１  凹槽
４２  バネ
４３  定位ボール
【図１】
2007081356.tif 000003
【図２】
2007081356.tif 000004
【図３】
2007081356.tif 000005
【図４】
2007081356.tif 000006